(57)【要約】【課題】エレベータ利用者が各種のエレベータ情報を見ながら、同時に外の景色も見ることにある。【解決手段】展望窓４を設けた乗りかご３を昇降制御する展望用エレベータに適用するエレベータ情報表示装置であって、展望窓に密着するように取付けられ、エレベータ運行情報を表示するバックライトをもたない液晶パネルなどの表示パネル１１と、エレベータ利用者のホール呼びやかご呼びに応じて乗りかごを昇降制御するとともに、当該乗りかごの現在位置や走行方向などのエレベータ運行情報を検出するエレベータ制御盤１２と、このエレベータ運行情報を取り込んで視覚認識可能な運行情報に変換する変換手段１３と、この視覚認識可能に変換された運行情報を表示パネルの予め定められる所定の表示エリアに表示するように制御する操作制御手段１４とで構成されている。【選択図】      図２
2005170656.tif 000002
【特許請求の範囲】
【請求項１】
展望窓を設けた乗りかごを昇降制御する展望用エレベータにおいて、
前記展望窓に所定の表示エリアを除くエリアから当該展望窓を通して外部を認識できる表示パネルを取付け、前記所定の表示エリアに各種の情報を表示することを特徴とするエレベータ情報表示装置。
【請求項２】
展望窓を設けた乗りかごを昇降制御する展望用エレベータにおいて、
前記展望窓に密着するように取付けられ、エレベータ運行情報を表示する表示パネルと、
エレベータ利用者の呼びに応じて前記乗りかごを昇降制御するとともに、当該乗りかごの現在位置や走行方向などの前記エレベータ運行情報を検出するエレベータ制御盤と、
このエレベータ制御盤で検出される前記エレベータ運行情報を取り込んで視覚認識可能な運行情報に変換する変換手段と、
この変換手段により視覚認識可能に変換された運行情報を前記表示パネルの予め定められる所定の表示エリアに表示するように制御する操作制御手段とを備えたことを特徴とするエレベータ情報表示装置。
【請求項３】
展望窓を設けた乗りかごを昇降制御する展望用エレベータにおいて、
前記展望窓に密着するように取付けられ、エレベータ運行情報を表示する表示パネルと、
予め複数の広告情報が記憶され、所定の順序で順次前記広告情報を選択して出力する広告情報出力手段と、
この広告情報出力手段から出力される広告情報を前記表示パネルの予め定められる所定の表示エリアに表示するように制御する操作制御手段とを備えたことを特徴とするエレベータ情報表示装置。
【請求項４】
請求項１ないし請求項３の何れか一項に記載のエレベータ情報表示装置において、
前記表示パネルは、バックライトをもたない液晶パネルであることを特徴とするエレベータ情報表示装置。
【請求項５】
請求項１ないし請求項３の何れか一項に記載のエレベータ情報表示装置において、
前記展望窓と前記表示パネルとの間に屈折率補正層を施したことを特徴とするエレベータ情報表示装置。
【請求項６】
請求項３に記載のエレベータ情報表示装置において、
前記広告情報出力手段は、広告情報提供センタから通信手段を通して広告情報を受け取ることを特徴とするエレベータ情報表示装置。
【発明の詳細な説明】
【技術分野】
【０００１】
本発明は、例えば展望用エレベータの展望窓などにエレベータ情報を表示するエレベータ情報表示装置に関する。
【背景技術】
【０００２】
従来、昇降路内を昇降する乗りかごの現在位置や走行方向等の運行情報を表示する方法としては、乗りかご内のかごドア直上などにかご内表示装置を設置し、このかご内表示装置に運行情報を表示する方法が知られている。
【０００３】
また、乗りかご内の側面壁などにディスプレイを設置し、当該ディスプレイに広告等に関する情報を表示することが行われている。
【０００４】
さらに、他の表示方法としては、エレベータではないが、情報配信センターからネットワークなどの通信手段を通して電子メールにて選択情報を伴う広告情報を送信し、当該選択情報によって建物内の情報入出力手段を選択し、建物の自動ドア扉に設置される情報表示機能を備えたガラスに広告情報を表示する情報配信システムが提案されている（特許文献１）。
【特許文献１】特開２００２−２６８５９７号公報
【発明の開示】
【発明が解決しようとする課題】
【０００５】
ところで、エレベータの昇降路の一部と乗りかごの一部とをそれぞれガラスなどの透過性のある材料で形成し、乗りかごに乗りながら外部の景色を見ることができる展望用エレベータが多く出回っている。
【０００６】
このような展望用エレベータでは、前述するように乗りかご内のかごドア出入口の直上に設置されるかご内表示装置に運行情報を表示し、また乗りかご内の側面壁などのディスプレイに広告等に関する情報を表示する一方、乗りかごのかごドア出入口とは反対側の面には展望窓が設けられている。
【０００７】
従って、エレベータ利用者は、展望窓から外部の景色を見ていると、かご内表示装置に表示される運行情報等を見ることができず、エレベータ利用者が降りるべき階で降り損ねたり、或いは広告等に関する情報を見逃すといった問題がある。
【０００８】
また、特許文献１の情報配信システムでは、ガラス面に情報表示機能を備えて情報を表示するシステムであるが、この情報表示機能の詳細は特に記載されていないが、例えばプロジェクタを用いた投影による表示方法が考えられる。
【０００９】
しかしながら、このプロジェクタ（投影装置）を用いた投影による表示方法は、ガラス面に専用のスクリーンを貼り付ける必要があるので、展望用エレベータの乗りかごの展望窓に専用スクリーンを貼り付けた場合、専用スクリーンが邪魔になり、展望窓から外の景色が見られなくなり、展望窓を設けた意義が失われてしまう。
【００１０】
また、プロジェクタは、スクリーンに直接映像を投影できる位置に設置する必要があることから、乗りかご内の設置が必須となり、設置場所の確保や設置による意匠性の低下は避けられない。
【００１１】
本発明は上記事情に鑑みてなされたもので、エレベータ利用者が各種のエレベータ情報を見ながら、同時に外の景色も見ることができるエレベータ情報表示装置を提供することを目的とする。
【課題を解決するための手段】
【００１２】
（１）  上記課題を解決するために、本発明は、展望窓を設けた乗りかごを昇降制御する展望用エレベータにおいて、展望窓に所定の表示エリアを除くエリアから当該展望窓を通して外部を認識できる例えばバックライトをもたない液晶パネルなどの表示パネルを取付け、前記所定の表示エリアに各種の情報を表示するエレベータ情報表示装置である。
【００１３】
この発明は以上のような構成とすることにより、表示パネルの所定の表示エリアに所要の電圧を印加して各種の情報を表示するので、表示パネルの所定の表示エリア以外のエリアでは電圧が印加されずに透過できる状態となり、展望窓を通して外を見ることが可能となる。
【００１４】
（２）  また、本発明に係るエレベータ情報表示装置は、展望窓に密着するように取付けられ、エレベータ運行情報を表示する例えばバックライトをもたない液晶パネルなどの表示パネルと、エレベータ利用者の呼びに応じて前記乗りかごを昇降制御するとともに、当該乗りかごの現在位置や走行方向などの前記エレベータ運行情報を検出するエレベータ制御盤と、このエレベータ制御盤で検出される前記エレベータ運行情報を取り込んで視覚認識可能な運行情報に変換する変換手段と、この変換手段により視覚認識可能に変換された運行情報を前記表示パネルの予め定められる所定の表示エリアに表示するように制御する操作制御手段とを設けた構成である。
【００１５】
この発明は以上のような構成とすることにより、エレベータ制御盤から乗りかごの現在位置や走行方向などのエレベータ運行情報を取り込み、変換手段にて視覚認識可能な運行情報に変換し、操作制御手段で表示パネルの予め定められる所定の表示エリアに表示するように制御するので、所定の表示エリアに表示される運行情報を見ながら、所定の表示エリア以外のエリアから展望窓を通して外を見ることが可能であり、エレベータ利用者が展望窓を通して外を見ているときでも、降りるべき階に降り損ずるといった問題を無くすことができる。
【００１６】
（２）  また、本発明に係るエレベータ情報表示装置は、展望窓に密着するように取付けられ、エレベータ運行情報を表示する例えばバックライトをもたない液晶パネルなどの表示パネルと、予め複数の広告情報が記憶され、所定の順序で順次前記広告情報を選択して出力する広告情報出力手段と、この広告情報出力手段から出力される広告情報を前記表示パネルの予め定められる所定の表示エリアに表示するように制御する操作制御手段をと設けた構成である。
【００１７】
この発明は以上のような構成とすることにより、表示パネルの所定の表示エリアに表示される広告情報を見ながら、所定の表示エリア以外のエリアから展望窓を通して外を見ることが可能であり、展望窓を通して外を見ている結果、広告情報を見逃すといった問題を無くすことができる。
【発明の効果】
【００１８】
本発明は、展望用エレベータの乗りかごの展望窓に所定の表示エリアを除くエリアから当該展望窓を通して外側を認識できる例えばバックライトをもたない液晶パネルなどの表示パネルを取付けたので、エレベータ利用者が各種のエレベータ情報を見ながら、同時に外の景色も見ることができるエレベータ情報表示装置を提供できる。
【発明を実施するための最良の形態】
【００１９】
以下、本発明の実施の形態について図面を参照して説明する。
【００２０】
図１ないし図３は本発明に係るエレベータ情報表示装置の一実施の形態を説明する図である。図１はかご外装デザインの一形式としての展望用エレベータの水平断面図、図２は本発明に係るエレベータ情報表示装置の一実施の形態を示す構成図、図３は表示パネルの一例を示す表面図である。
【００２１】
展望用エレベータは、例えば建物の外壁などに連なってエレベータ昇降路１が形成され、例えば屋外又は屋内である昇降路外と接する面側にはガラスなどのごとき透過性のある材料の透過板２が配置され、昇降路１内部から外となる屋外又は屋内の景色などを見ることが可能になっている。
【００２２】
この昇降路１内には、昇降可能に乗りかご３が吊下げられ、透過板２と面する側にはガラスなどのごとき透過性のある材料で形成された展望窓４が設けられている。５は乗場側ドア、６はかごドアを示す。
【００２３】
このような乗りかご３の展望窓４にはエレベータ情報表示装置が取り付けられる。
【００２４】
このエレベータ情報表示装置は、展望窓４全体又は展望窓４の一部の領域に密着するように取付けられ、広告情報を含む乗りかごの現在位置や走行方向等の運行情報を表示する表示パネル１１と、エレベータ設備として一般的に用いられているエレベータ制御盤１２と、インタフェース１３と、操作制御部１４とが設けられている。なお、表示パネル１１は、展望窓４に取付けられるが、他のインタフェース１３や操作制御部１４は、展望窓４以外の適宜な場所に取付けられ、操作制御部１４と表示パネル１１とは信号線により接続されている。
【００２５】
前記表示パネル１１としては、バックライトをもたない液晶ディスプレイなどの液晶パネルが用いられ、例えば図３に示すように予め定められた表示エリアに乗りかごの現在位置表示部１１ａ、走行方向表示部１１ｂ、その他の運行情報を含む広告情報表示部１１ｃなどが形成されている。この表示パネル１１にはｘ，ｙ駆動部１５が設けられ、このｘ，ｙ駆動部１５には操作制御部１４が接続されている。
【００２６】
この表示パネル１１は、液晶テレビやコンピュータの液晶ディスプレイと同じ動作原理に基づき、操作制御部１４からｘ，ｙ駆動部１５を介して電圧を印加されていない場合には表示パネル１１が透明なガラス板状となり、一方、電圧が印加された場合には液晶の分子配列の変化に伴う光偏向面の変化によって文字や図形などを表示する機能をもっている。なお、液晶テレビやコンピュータの液晶ディスプレイ等は、液晶を背後から照らすバックライトが設けられているので背後が見えないが、バックライトをもたず、かつ電圧が印加されない状態では、文字、図形等が表示されず、表示パネル１１を通して外の景色を見ることが可能となる。
【００２７】
このエレベータ制御盤１２は、エレベータ利用者からのホール呼びやかご呼び等の指示に応じて、乗りかご３（図１参照）と図示しない釣合いおもりとを結ぶメインロープが掛けられている巻上機（図示せず）を回転させて乗りかご３を昇降したり、乗りかご３の現在位置や乗りかご３の走行方向を検出し、乗りかご３の運行制御を行う機能をもっている。
【００２８】
前記インタフェース１３は、表示パネル１１の表示エリアに相当するエリアをもつフレームメモリ等の記憶手段を有し、エレベータ制御盤１２から出力されるエレベータ運行情報を常時監視し、この運行情報の中の乗りかごの現在位置を視覚的に認識可能な例えば数字に変換して所定のメモリエリア（表示パネル１１現在位置表示部１１ａ相当エリア）のに書き込み、また乗りかごの走行方向を同じく視覚的に認識可能な例えば矢印などの図形に変換して同様に所定のメモリエリア（表示パネル１１の走行方向表示部１１ｂ相当エリア）に書き込み、操作制御部１４に表示指示を送出する機能をもっている。
【００２９】
次に、以上のようなエレベータ情報表示装置の動作について説明する。
【００３０】
このエレベータ制御盤１２は、エレベータ利用者からのホール呼びやかご呼び等の指示に従い、巻上機を回転制御するとともに、乗りかご３の現在位置や走行方向を検出し乗りかご３の運行制御を実施している。
【００３１】
以上のような状態において、インタフェース１３は、エレベータ制御盤１２から出力されるエレベータ運行情報を常時監視し、乗りかごの現在位置及び走行方向を取り込み、乗りかごの現在位置を視覚的に認識可能な例えば数字に変換して所定のメモリエリアに書き込み、また乗りかごの走行方向を同じく視覚的に認識可能な例えば矢印などの図形に変換して同様に所定のメモリエリアに書き込み、操作制御部１４に表示指示を送出する。
【００３２】
ここで、操作制御部１４は、インタフェース１３からの表示指示に従ってｘ，ｙ駆動情報を送出し、ｘ，ｙ駆動部１５を介して表示パネル１１のｘ，ｙ駆動ラインに電圧を印加し、表示パネル面の所定のエリアである現在位置表示部１１ａに乗りかごの現在位置を表示し、また走行方向表示部１１ｂに乗りかごの走行方向を表示する。このとき、表示パネル１１の現在位置表示部１１ａ及び走行方向表示部１１ｂを除くエリアには電圧が印加されていないので、表示パネル１１の当該エリアを通して乗りかご外部の景色を見ることが可能となる。また、このとき、乗りかご３の外の景色を見ることができるとともに、現在位置表示部１１ａ及び走行方向表示部１１ｂに表示される乗りかごの現在位置や走行方向を確認できるので、エレベータ利用者が降りるべき階で降り損ねるといった問題もなくなる。
【００３３】
従って、以上のような実施の形態によれば、乗りかご３の展望窓４に表示パネル１１を取付け状態で、乗りかご外部の景色を見ることができ、しかも外部の景色を見ながら現在位置表示部１１ａ及び走行方向表示部１１ｂに表示される乗りかごの現在位置や走行方向を確認できるので、エレベータ利用者が降りるべき階で降り損ねるといった問題もなくなる。
【００３４】
次に、図４は本発明に係るエレベータ情報表示装置の他の実施の形態を示す構成図である。なお、同図において図２と同一部分には同一符号を付し、その詳しい説明は図２の説明に譲る。
【００３５】
このエレベータ情報表示装置は、エレベータ制御盤１２及びインタフェース１３に代えて、操作制御部１４に広告情報出力装置２１が接続されている。
【００３６】
この広告情報出力装置２１は、複数の広告情報を記憶され、所定の周期ごとに所定の順序で広告情報を選択し出力する機能をもっている。この広告情報出力装置２１から出力される広告情報に基づき、表示パネル１１を構成するパネル構成素子の操作制御を実行する操作制御部１４とが設けられている。なお、広告情報出力装置２１及び操作制御部１４は、展望窓４以外の適宜な場所に取付けられ、表示パネル１１とは信号線によって接続されている。
【００３７】
次に、以上のようなエレベータ情報表示装置の動作について説明する。
【００３８】
今、例えば外部記憶装置を備えたパーソナルコンピュータなどの広告情出力装置２１に予め複数の広告情報がそれぞれ例えばフレームメモリの形式で記憶されている。
【００３９】
この状態において、広告情報出力装置２１に搭載される情報表示用プログラムを実行すると、このプログラムに基づいて所定の周期ごとに所定の順序でフレームメモリ，ひいてはメモリ広告情報を選択し、操作制御部１４に送出する。
【００４０】
この操作制御部１４は、フレームメモリに記憶されるメモリ広告情報に応じたｘ，ｙ駆動情報を送出し、ｘ，ｙ駆動部１５を介して表示パネル１１のｘ，ｙ駆動ラインに電圧を印加し、表示パネル１１の例えば広告情報表示部１１ｃに順次広告情報を表示していく。
【００４１】
このとき、表示パネル１１のうち、広告情報表示部１１ｃ以外の領域に対応するｘ，ｙ駆動ライン上に電圧が印加されていないので、表示パネル１１を通して外部の景色を見ることができ、同時に表示パネル１１の広告情報表示部１１ｃに表示される広告情報も見逃さずに見ることができる。なお、この広告情報には、建物内の案内やエレベータに関係する情報も含むものである。
【００４２】
従って、以上のような実施の形態によれば、展望用エレベータの展望窓４に表示パネル１１を取り付け、表示パネル１１を通して外部の景色を見ると同時に表示パネル１１に表示される広告情報も見逃さずに見ることができる。
【００４３】
また、表示パネル１１は、電圧が印加されずに文字や図形などを表示していないときにはパネル背後，つまり表示パネル１１を通して外部が見えるので、プロジェクタのように専用のスクリーンを貼り付ける必要がなく、展望窓４から外の景色を見ることを妨げてしまうこともない。また、プロジェクタである投影装置を設置する必要もなく、設置場所の問題や意匠性を損なう心配もなくなる。
【００４４】
（その他の実施の形態）
（１）  上記実施の形態では、展望窓４に直接表示パネル１１を密着するように取付けたが、展望窓４内の透過波の進行方向が表示パネル１１からの入射波の進行方向からかたよる屈折現象が生じる場合があるが、例えば図５に示すように展望窓４と表示パネル１１との間に屈折率補正層２２を介在させることにより、屈折率の影響を低減させることができる。なお、屈折率補正層２２とは、屈折率補正シート、液体層の何れでもよい。
【００４５】
（２）  また、上記実施の形態では、展望窓４の面部に表示パネル１１を密着するように取付けたが、例えば２枚の展望窓４を構成する板体で表示パネル１１を挟み込むようにして取付けてもよい。
【００４６】
（３）  表示パネル１１としては、バックライトのない液晶パネルを用いたが、液晶パネルと同様の性質を有する他の物質であれば、適用可能であることは言うまでもない。
【００４７】
（４）  さらに、上記実施の形態は、エレベータ制御盤１２や広告情報出力装置２１などを用いて、表示パネル１１に表示する情報を取得するようにしたが、例えばエレベータサービスセンタ等からネットワークを介して各広告情報出力装置２１に配信し、この広告情報出力装置２１から広告情報を出力する構成であってもよい。
【００４８】
その他、本発明は、上記実施の形態に限定されるものでなく、その要旨を逸脱しない範囲で種々変形して実施できる。
【００４９】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００５０】
【図１】本発明に係るエレベータ情報表示装置を適用する展望用エレベータの水平断面図。
【図２】本発明に係るエレベータ情報表示装置の一実施の形態を示す構成図。
【図３】表示パネルの正面図。
【図４】本発明に係るエレベータ情報表示装置の他の実施の形態を示す構成図。
【図５】本発明に係るエレベータ情報表示装置のさらに他の実施の形態を説明する図。
【符号の説明】
【００５１】
１…昇降路、２…透過板、３…乗りかご、４…展望窓、１１…表示パネル、１２…エレベータ制御盤、１３…インタフェース、１４…操作制御部、１５…ｘ，ｙ駆動部、２１…広告情報出力装置、２２…屈折率補正層。
【図１】
2005170656.tif 000003
【図２】
2005170656.tif 000004
【図３】
2005170656.tif 000005
【図４】
2005170656.tif 000006
【図５】
2005170656.tif 000007